(57)【要約】【課題】フロアステップ上から補助ステップに片足を載せやすくすると共に、補助ステップに片足を載せた際の姿勢を安定させる。【解決手段】運転席１２の前下方に形成されるフロアステップ部１１ｂと、運転席１２の後方又は側方に形成され、フロアステップ部１１ｂよりもステップ面が高いリアステップ部１１ｄとを備える乗用田植機において、リアステップ部１１ｄの外方に補助ステップ１７を設けるにあたり、該補助ステップ１７のステップ面を、フロアステップ部１１ｂのステップ面よりも高く、かつ、リアステップ部１１ｄのステップ面よりも低くする。【選択図】図１
2007116997.tif 000002
【特許請求の範囲】
【請求項１】
運転席の前下方に形成されるフロアステップと、前記運転席の後方及び／又は側方に形成され、前記フロアステップよりもステップ面が高いリアステップとを備える作業用走行車において、前記リアステップの外方に補助ステップを設けるにあたり、該補助ステップのステップ面を、前記フロアステップよりも高く、かつ、前記リアステップよりも低くしたことを特徴とする作業用走行車。
【請求項２】
前記補助ステップのステップ面は、前低後高状及び／又は内低外高状に傾斜していることを特徴とする請求項１記載の作業用走行車。
【発明の詳細な説明】
【技術分野】
【０００１】
本発明は、乗用田植機などの作業用走行車に関し、特に、リアステップの外方に補助ステップを備える作業用走行車に関する。
【背景技術】
【０００２】
運転席の後方や側方にリアステップを備える作業用走行車が知られている。例えば、乗用田植機では、機体上から苗載台に苗補給をするための足場としてリアステップが利用されるが、苗載台が幅広である場合や、運転席と苗載台の間に粒状施肥装置のホッパが設けられている場合には、足場を十分に確保できず、苗補給の作業性が低下する可能性があった。
【０００３】
そこで、リアステップの外方に補助ステップを設けることが提案されている。例えば、特許文献１に記載される作業用走行車は、フロアステップ及びリヤステップを外方に拡張する補助ステップと、該補助ステップの後側平坦部（リヤステップ拡張部）を外方に拡張する延長ステップとを備えている。
【特許文献１】特開２００２−１９号公報
【発明の開示】
【発明が解決しようとする課題】
【０００４】
しかしながら、特許文献１に記載される作業用走行車では、本機のフロアステップ上から補助ステップの後側平坦部に片足を載せる場合、リヤステップに片足を載せる場合よりも遠くなるので、片足を載せにくくなったり、片足を載せた姿勢が不安定になる可能性がある。
【課題を解決するための手段】
【０００５】
本発明は、上記の如き実情に鑑みこれらの課題を解決することを目的として創作されたものであって、運転席の前下方に形成されるフロアステップと、前記運転席の後方及び／又は側方に形成され、前記フロアステップよりもステップ面が高いリアステップとを備える作業用走行車において、前記リアステップの外方に補助ステップを設けるにあたり、該補助ステップのステップ面を、前記フロアステップよりも高く、かつ、前記リアステップよりも低くしたことを特徴とする。このようにすると、フロアステップと補助ステップとの間の段差が小さくなるので、フロアステップ上から補助ステップに片足を載せやすくなるだけでなく、補助ステップに片足を載せた際の姿勢を安定させることができる。
また、前記補助ステップのステップ面は、前低後高状及び／又は内低外高状に傾斜していることを特徴とする。このようにすると、補助ステップに対する足載せが一層容易になるだけでなく、補助ステップ上での滑りも抑制することができる。
【発明を実施するための最良の形態】
【０００６】
次に、本発明の実施形態について、図面に基づいて説明する。図１及び図２において、１は乗用田植機の走行機体であって、該走行機体１の後部には、昇降リンク機構２を介して植付作業機３が昇降自在に連結されている。植付作業機３は、前高後低状に傾斜する苗載台４や、苗載台４に載置されたマット苗を圃場に植付ける植付機構５を備えて構成されており、苗載台４に対するマット苗の補給作業は、通常、走行機体１上から行われる。
【０００７】
走行機体１は、機体フレーム６と、該機体フレーム６の前部に搭載されるエンジン（図示せず）と、エンジンの発生動力を無段階状に変速する無段変速装置（図示せず）と、無段変速装置から入力した動力の変速及び分配を行うトランスミッション（図示せず）と、該トランスミッションから入力した走行動力を左右の前輪７に伝動するフロントアクスルケース（図示せず）と、トランスミッションから入力した走行動力を左右の後輪８に伝動するリヤアクスルケース９とを備えており、機体上方は、フロントカバー１０やメインカバー１１によって覆われている。
【０００８】
メインカバー１１は、走行機体１の後部上方を覆うカバー部材であり、中央膨出部１１ａ、フロアステップ部１１ｂ、立上り部１１ｃ及びリアステップ部１１ｄを有する。中央膨出部１１ａは、メインカバー１１の左右中央部から上方に膨出しており、その上部には運転席１２が取り付けられる。フロアステップ部１１ｂは、中央膨出部１１ａ（運転席１２）の前下方に形成される平坦なステップ面であり、その左右両側から機体上への乗り降りが行われる。立上り部１１ｃは、フロアステップ部１１ｂの左右両端部から中央膨出部１１ａの側部に沿って後方に延出しており、前低後高状の傾斜面を形成している。リアステップ部１１ｄは、立上り部１１ｃの後端部から後方に延出する平坦なステップ面であり、通常、苗載台４に対する苗補給に際し、足場として利用される。すなわち、走行機体１上から苗載台４に苗補給を行う場合は、機体前部の左右両側に設けられる補助苗載台１３からマット苗を取り出した後、フロアステップ部１１ｂ上から片足をリアステップ部１１ｄに載せた姿勢で苗載台４にマット苗を補給している。
【０００９】
本実施形態の乗用田植機には、植付けと同時に粒状の肥料を側条施肥する粒状施肥システムが装備されている。この粒状施肥システムは、粒状肥料を貯溜するホッパ１４と、該ホッパ１４内の粒状肥料を送り出す肥料供給装置１５と、該肥料供給装置１５から送り出された粒状肥料を植付作業機３へ導く複数の施肥パイプ（図示せず）と、該施肥パイプによって導かれた粒状肥料を植付位置側方に施肥する側条作溝器（図示せず）とを備えて構成されている。ホッパ１４及び肥料供給装置１５は、走行機体１における運転席１２の後方位置に配置されており、図３及び図４に示すように、粒状ステー１６を介して機体フレーム６の後端部で支持される。このような配置構成によれば、前述したリアステップ部１１ｄがホッパ１４や肥料供給装置１５で圧迫され、苗補給時の足場確保がしにくくなる可能性がある。
【００１０】
このような問題を解消するために、リアステップ部１１ｄの外方には、苗補給時の足場を拡張する補助ステップ１７が設けられる。図３及び図４に示すように、本実施形態の補助ステップ１７は、ステップ本体１８と、ステップ本体１８から機体内方に延びるＬ字状の補助ステー１９と、該補助ステー１９の先端部に一体的に固設され、前記粒状ステー１６と共通のボルト２０を用いて機体フレーム６の下部に固定される下部プレート２１と、補助ステー１９の基端部に一体的に固設され、ボルト２２を介して機体フレーム６の上部に固定される上部プレート２３とを備えて構成される。
【００１１】
補助ステップ１７のステップ面の高さは、フロアステップ部１１ｂのステップ面よりも高く、かつ、リアステップ部１１ｄのステップ面よりも低く設定される。補助ステップ１７をこのように構成すると、フロアステップ部１１ｂと補助ステップ１７との間の段差が小さくなるので、フロアステップ部１１ｂ上から補助ステップ１７に片足を載せやすくなるだけでなく、補助ステップ１７に片足を載せた際の姿勢を安定させることができる。しかも、補助ステップ１７を肥料供給装置１５から遠ざけることができるので、補助ステップ１７に載せた足のつま先が肥料供給装置１５に接触する不都合も回避できる。
【００１２】
また、補助ステップ１７のステップ面は、前低後高状に傾斜させることが好ましい。このようにすると、補助ステップ１７に対する足載せが一層容易になるだけでなく、補助ステップ１７上での滑りも抑制することができる。しかも、本実施形態では、補助ステップ１７を前低後高状に傾斜させることにより、側面視で補助ステップ１７を後輪８の外周に沿わせるので、後輪８の着脱に際し、補助ステップ１７が邪魔になる不都合も回避できる。また、本実施形態の補助ステップ１７は、側面視で立上り部１１ｃよりも後方に配置されるので、機体の乗り降りに際し、補助ステップ１７が邪魔になる不都合も回避できる。尚、本実施形態では、補助ステップ１７のステップ面を左右方向で水平としているが、内低外高状に傾斜させるようにしてもよい。このようにすると、補助ステップ１７に対する足載せが一層容易になる。
【００１３】
叙述の如く構成された本実施形態によれば、運転席１２の前下方に形成されるフロアステップ部１１ｂと、運転席１２の後方又は側方に形成され、フロアステップ部１１ｂよりもステップ面が高いリアステップ部１１ｄとを備える乗用田植機において、リアステップ部１１ｄの外方に補助ステップ１７を設けるにあたり、該補助ステップ１７のステップ面を、フロアステップ部１１ｂのステップ面よりも高く、かつ、リアステップ部１１ｄのステップ面よりも低くしたので、フロアステップ部１１ｂと補助ステップ１７との間の段差が小さくなり、その結果、フロアステップ部１１ｂ上から補助ステップ１７に片足を載せやすくなるだけでなく、補助ステップ１７に片足を載せた際の姿勢を安定させることができる。
【００１４】
また、補助ステップ１７のステップ面は、前低後高状（及び／又は内低外高状）に傾斜しているので、補助ステップ１７に対する足載せが一層容易になるだけでなく、補助ステップ１７上での滑りも抑制することができる。
【図面の簡単な説明】
【００１５】
【図１】乗用田植機の側面図である。
【図２】乗用田植機の平面図である。
【図３】補助ステップの取付構造を示す側面図である。
【図４】補助ステップの取付構造を示す背面図である。
【符号の説明】
【００１６】
１      走行機体
３      植付作業機
４      苗載台
６      機体フレーム
１１    メインカバー
１１ａ  中央膨出部
１１ｂ  フロアステップ部
１１ｃ  立上り部
１１ｄ  リアステップ部
１２    運転席
１５    肥料供給装置
１７    補助ステップ
１８    ステップ本体
【図１】
2007116997.tif 000003
【図２】
2007116997.tif 000004
【図３】
2007116997.tif 000005
【図４】
2007116997.tif 000006